(57)【要約】【課題】使用者の利便性の低下を抑制できる画像形成装置を提供する。【解決手段】画像形成装置（１００）は、人を検知する人感センサー（１５０）と、操作を受け付ける操作手段（１１５）と、を備え、操作手段（１１５）は、複数の段階を有する一連の操作を受け付け、一連の操作における途中段階においては、人感センサー（１５０）による人の検知動作を行なわず、かつ、操作を受け付け後、所定時間が経過した場合は、受け付けられた操作を無効とする。【選択図】図１
2019220757.tif 000002
【特許請求の範囲】
【請求項１】
人を検知する人感センサーと、
操作を受け付ける操作手段と、を備え、
前記操作手段は、複数の段階を有する一連の操作を受け付け、
前記一連の操作における途中段階においては、前記人感センサーによる人の検知動作を行なわず、かつ、前記操作を受け付け後、所定時間が経過した場合は、前記受け付けられた操作を無効とする、ことを特徴とする画像形成装置。
【請求項２】
請求項１に記載の画像形成装置であって、
前記操作手段により受け付けられる、複数の段階を有する一連の操作において、段階毎に対応する設定を有し、
前記所定時間は、前記一連の操作における前記設定に応じて決定される、ことを特徴とする画像形成装置。
【請求項３】
請求項２に記載の画像形成装置であって、
前記一連の操作における前記設定の段階が進んでいるほど、決定される前記所定時間が長い、ことを特徴とする画像形成装置。
【請求項４】
請求項２又は請求項３に記載の画像形成装置であって、
前記一連の操作における前記設定によっては、前記人感センサーによる人の検知動作が行なわれない場合は、すでに受け付けられた操作を無効とする、ことを特徴とする画像形成装置。
【請求項５】
請求項１に記載の画像形成装置であって、
条件に応じて、前記人感センサーによる人の検知動作が行なわれない場合は、前記受け付けられた操作を無効とする、ことを特徴とする画像形成装置。
【請求項６】
請求項２から請求項４までの何れか１つに記載の画像形成装置であって、
操作に関する表示を行う表示手段を、さらに備え、
前記表示手段は、前記設定毎に対応する表示を行う、ことを特徴とする画像形成装置。
【請求項７】
請求項４に記載の画像形成装置であって、
操作に関する表示を行う表示手段を、さらに備え、
前記受け付けられた操作が無効となった場合は、前記表示手段は表示を停止する、ことを特徴とする画像形成装置。
【請求項８】
請求項４に記載の画像形成装置であって、
操作に関する表示を行う表示手段を、さらに備え、
前記受け付けられた操作が無効となった場合は、前記表示手段は初期表示を行う、ことを特徴とする画像形成装置。
【発明の詳細な説明】
【技術分野】
【０００１】
本発明は、人を検知する人感センサーを備えた画像形成装置に関する。
【背景技術】
【０００２】
複写機、ファクシミリ装置、プリンター、複合機等の画像形成装置において、人を検知する人感センサーを備え、人感センサーによる検知結果に応じて動作するものが、従来から知られている。
【０００３】
例えば、人感センサーを備えた画像形成装置は、省エネルギー化を実現するために、電力の供給を受けて動作する通常の動作モードと、この通常の電力状態よりも供給電力が小さい低消費電力状態である節電モードとを備えている。そして、予め定めた所定の条件が整った場合（例えば画像形成装置の待機状態が所定の時間継続した場合及び／又は人感センサーの検知結果により人が近くにいないことを検出した場合）に、通常の動作モードから節電モードに移行する構成や、節電モードにおいて人感センサーの検知結果により人が近くにいることを検出した場合に、通常の動作モードに復帰させる構成とされることがある。
【０００４】
しかし、例えば、人感センサーにより人が検出されなくなった場合にすぐに節電モードに移行することとした場合は、画像形成装置を使用しようとすると必ず節電モードから通常の動作モードに移行する動作が必要となり、すぐに使用できないとの問題がある。また、人感センサーにより人が検出されなくなってから一定の時間が経過した後に節電モードに移行することとした場合は、無駄な電力を消費する可能性があるとの問題がある。そこで、使用者の利便性と、消費電力の低減と、の両立を実現させるための画像形成装置が提案されている。
【０００５】
例えば、特許文献１には、人体を検知する検知手段と、ユーザの操作を受け付ける操作手段と、操作手段を用いて設定されるジョブを実行する処理手段と、を備え、人体が検知されていない状態におけるジョブの実行状態に基づいて、省電力状態に移行するタイミングを制御する画像形成装置が開示されている。このような画像形成装置によれば、操作部から遠ざかる操作者の動向に適応して電力制御を切替えることで、操作者の利便性を確保しつつ無駄な電力消費を抑えることができる。
【先行技術文献】
【特許文献】
【０００６】
【特許文献１】特開２０１５−５９０５号公報
【発明の概要】
【発明が解決しようとする課題】
【０００７】
また、人感センサーを備えた画像形成装置の中には、画像形成装置全体の電力を節電するだけでなく、人感センサーにより人が近くにいないことを検出した場合には、所定時間経過後に操作を行うための表示を停止し、それまで操作されていた内容について無効にする、いわゆるオートクリア機能を有する構成のものがある。
【０００８】
ところで、画像形成装置を、コンビニエンスストア等のように不特定多数の使用者が使用する環境に設置することがある。このような場合、画像形成装置の操作に慣れている者だけが画像形成装置を使用するとは限らない。例えば、画像形成装置の操作方法がわからない者は、コンビニエンスストアの店員等に操作方法を聞きながら画像形成装置を使用することとなる。また、店員等に操作方法を聞かずに画像形成装置の操作を始めて、途中から操作方法がわからなくなって、店員等に操作方法を聞きに行く場合もある。この場合に、使用者は画像形成装置の近くを離れることとなるため、人感センサーに検出されず、戻ってくるまでの間に所定時間が経過した場合は、オートクリアされて途中まで進んでいた操作を再び初めからやり直さなければいけないこととなり、利便性が低いとの問題があった。
【０００９】
このような問題を回避するためには、例えば、人感センサーに検出されなくなってからオートクリアされるまでの時間を長くすればよいが、その場合は、使用者が途中まで操作した時点で使用を辞めて、今まで行った操作についてキャンセルせずにそのまま放置した場合に、次の使用者は前の使用者の操作をキャンセルする作業を行ってから使用することとなり、利便性が低いとの問題があった。
【００１０】
本発明は、上述の事情に鑑みて為された発明であり、その目的は、使用者の利便性の低下を抑制できる画像形成装置を提供することである。
【課題を解決するための手段】
【００１１】
本発明の一態様に係る画像形成装置は、人を検知する人感センサーと、操作を受け付ける操作手段と、を備え、前記操作手段は、複数の段階を有する一連の操作を受け付け、前記一連の操作における途中段階においては、前記人感センサーによる人の検知動作を行なわず、かつ、前記操作を受け付け後、所定時間が経過した場合は、前記受け付けられた操作を無効とする、ことを特徴とする。
【００１２】
これにより、使用者が一連の操作の途中において、画像形成装置から離れたとしても、所定時間が経過するまで、これまで行った操作が無効にされるわけではない。したがって、例えば、使用者が、画像形成装置の操作方法を聞きに行く等の行為を行っても、再び最初から操作を行わなければならないわけではなく、利便性が高い。また、所定時間が経過した場合は、これまで行った操作が無効にされることから、使用者が一連の操作の途中で操作を中断して放置したとしても、所定時間後に操作が無効となる。これにより、次の使用者はすぐに使用することができるようになるため、利便性が高い。
【００１３】
また、上述の画像形成装置において、前記操作手段により受け付けられる、複数の段階を有する一連の操作において、段階毎に対応する設定を有し、前記所定時間は、前記一連の操作における前記設定に応じて決定されることとしてもよい。
【００１４】
これにより、使用者の操作における段階に応じて所定時間が決定されることから、自由度の高い設定が可能であり、利便性が高い。
【００１５】
また、上述の画像形成装置において、前記一連の操作における前記設定の段階が進んでいるほど、決定される前記所定時間が長いこととしてもよい。
【００１６】
これにより、例えば、人感センサーの検出がない場合に、一連の操作が終わりに近づいているときの方が、一連の操作の始めたてに比べると、これまで行った操作が無効にされるまでの時間が長い。したがって、人感センサーの検出がない場合に、使用者の手間がかかった方が、これまでの操作が無効にされる可能性が低くなっており、利便性が高い。
【００１７】
また、上述の画像形成装置において、前記一連の操作における前記設定によっては、前記人感センサーによる人の検知動作が行なわれない場合は、すでに受け付けられた操作を無効とすることとしてもよい。
【００１８】
これにより、例えば、一連の操作の初期段階であれば、使用者が画像形成装置から離れた場合は、すぐに、すでに受け付けられた操作を無効とする等が可能であり、設定の自由度が高く、利便性が高い。
【００１９】
また、上述の画像形成装置において、条件に応じて、前記人感センサーによる人の検知動作が行なわれない場合は、前記受け付けられた操作を無効とすることとしてもよい。
【００２０】
これにより、条件によっては、人感センサーによる人の検知動作が行なわれない場合（人感センサーが人を検知しない場合）はすぐに、すでに受け付けられた操作を無効とすることができるため、次の使用者はすぐに画像形成装置を使用することができ、利便性が高い。
【００２１】
また、上述の画像形成装置において、操作に関する表示を行う表示手段を、さらに備え、前記表示手段は、前記設定毎に対応する表示を行うこととしてもよい。
【００２２】
これにより、一連の操作において段階毎に対応する設定が、表示手段の表示と対応することとなり、使用者は視覚により一連の操作のどの段階であるかを容易に認識することができる。
【００２３】
また、上述の画像形成装置において、操作に関する表示を行う表示手段を、さらに備え、前記受け付けられた操作が無効となった場合は、前記表示手段は表示を停止することとしてもよい。
【００２４】
これにより、使用者はオートクリアが行われたことを容易に理解でき、使用可能であることを容易に理解できる。また、表示手段を稼働する電力について、節電を行うことができる。
【００２５】
また、上述の画像形成装置において、操作に関する表示を行う表示手段を、さらに備え、前記受け付けられた操作が無効となった場合は、前記表示手段は初期表示を行うこととしてもよい。
【００２６】
これにより、使用者はオートクリアが行われたことを容易に理解でき、使用可能であることを容易に理解できる。
【発明の効果】
【００２７】
本発明によると、使用者の利便性の低下を抑制できる画像形成装置を提供することができる。
【図面の簡単な説明】
【００２８】
【図１】本発明の実施の形態に係る画像形成装置の概略構成を示す斜視図である。
【図２】図１に示す画像形成装置における人感センサーの検知範囲を示す斜視図である。
【図３】図１に示す画像形成装置における制御部の制御構成を概略的に示すブロック図である。
【図４】本発明の実施の形態に係る画像形成装置のオートクリアまでの時間についてのテーブルを示す図である。
【図５】本発明の実施の形態に係る画像形成装置における制御部によるオートクリアに関する動作の一例を示すフローチャートである。
【図６】本発明の実施の形態に係る画像形成装置における表示装置のポータル画面を示す図である。
【図７】第１実施形態に係る画像形成装置における表示装置の各設定における表示画面を示す図である。
【図８】第２実施形態に係る画像形成装置における表示装置の各設定における表示画面を示す図である。
【図９】第３実施形態に係る画像形成装置における表示装置の各設定における表示画面を示す図である。
【発明を実施するための形態】
【００２９】
以下、本発明に係る実施の形態について図面を参照しながら説明する。
【００３０】
図１は、本発明の実施の形態に係る画像形成装置１００の概略構成を示す斜視図である。図２は、図１に示す画像形成装置１００における人感センサー１５０の検知範囲Ｒを示す斜視図である。なお、図１及び図２において、符号Ｘは左右方向を示し、符号Ｙは奥行き方向を示し、符号Ｚは上下方向を示している。
【００３１】
図１及び図２に示すように、画像形成装置１００は、画像形成装置本体１１０と原稿読取装置１２０とを備えている。
【００３２】
原稿読取装置１２０は、画像形成装置本体１１０の上部に設けられており、原稿載置台１２１、原稿読取部１２２及び原稿自動送り装置１２３を備えている。原稿読取装置１２０は、原稿載置台１２１に載置された原稿の画像を原稿読取部１２２にて読み取るか又は原稿自動送り装置１２３にて自動的に送られる原稿の画像を原稿読取部１２２にて読み取り、読み取った原稿の画像データを画像形成装置本体１１０に送信する。原稿読取装置１２０は、原稿自動送り装置１２３にて搬送されて原稿読取部１２２にて読み取られた原稿を原稿排出トレイ１２３ａに排出する。
【００３３】
画像形成装置本体１１０は、シート収容部１１１、シート搬送部１１２、画像形成部１１３、シート排出部１１４及び操作部１１５を有している。画像形成装置本体１１０は、記録用紙等の記録シートをシート収容部１１１に収容し、シート収容部１１１に収容された記録シートをシート搬送部１１２にて搬送し、シート搬送部１１２にて搬送された記録シートに原稿読取装置１２０又は外部から送信されてきた画像データに基づいてカラー画像又はモノクロ画像を画像形成部１１３にて形成し、画像形成部１１３にて画像を形成した記録シートをシート排出部１１４におけるシート排出トレイ１１４ａに排出するようになっている。操作部１１５は、表示装置１６４を含む操作部材１６５を備えている。なお、表示装置１６４はタッチパネルディスプレイであって、操作に関する画像を表示するだけでなく、表示装置１６４の画面に触れることにより、入力が可能となっている。
【００３４】
本実施の形態において、画像形成装置１００は、人を検知する人感センサー１５０をさらに備えている。
【００３５】
人感センサー１５０は、画像形成装置本体１１０の前面（操作側の面）の操作部１１５の下方における正面から視て左右方向Ｘの一端部（この例では右端部）に設けられている。
【００３６】
人感センサー１５０は、予め定めた所定の限られた検知範囲Ｒ（図２参照）内に人が居るのか或いは居ないのかを検知するセンサーである。人感センサー１５０は、所定の検知範囲Ｒの指向性を有している。検知範囲Ｒは、左右方向Ｘ、奥行き方向Ｙ、上下方向Ｚ及びこれらのうち少なくとも２つを組み合わせた方向の所定の限られた検知範囲を例示でき、この例では、左右方向Ｘ及び上下方向Ｚにおいて上方に向かって円錐状の範囲とされている（図２参照）。
【００３７】
人感センサー１５０は、この例では、超音波を用いた超音波型の人感センサーとされている。超音波型の人感センサー１５０は、超音波送波部１５１及び超音波受波部１５２を有し、超音波送波部１５１により所定の検知範囲Ｒに超音波を検知対象物に向け発信し、該検知対象物からの反射波を超音波受波部１５２で受信して得られた検知結果により、対象物の有無を検出するものである。人感センサー１５０は、この例では、超音波を用いた超音波型の人感センサーであるが、これ以外に赤外線を用いた赤外線型の人感センサー、可視光を用いた光学型の人感センサー、焦電型の人感センサー、音感型の人感センサー、押圧型のセンサー等でもよく、さらにこれら以外の人感センサーであってもよい。また、これらの人感センサーのうち２種類以上を組み合わせた人感センサーであってもよい。
【００３８】
なお、図１及び図２において、説明していない第１検知部２１０、第２検知部２２０及び第３検知部２３０については、後述する。
【００３９】
［制御部］
画像形成装置１００は、画像形成装置１００全体の制御を司る制御部１８０（図３参照）をさらに備えている。ここで、画像形成装置１００は、コピー、プリント、ファクス及びスキャナ等の機能を有しており、制御部１８０は各機能の動作を司っている。
【００４０】
図３は、図１に示す画像形成装置１００における制御部１８０の制御構成を概略的に示すブロック図である。
【００４１】
ここで、制御部１８０は、画像形成装置１００を高消費電力状態から高消費電力状態よりも供給エネルギーを小さくした低消費電力状態にする節電モードを有している。ここで、節電モードの低消費電力状態は、電源（この例ではメイン電源１９１）から電力を供給しない状態も含む概念である。
【００４２】
制御部１８０は、この例では、予め定めた所定の条件が整った場合（例えば画像形成装置１００の待機状態が所定の時間継続した場合及び／又は人感センサー１５０の検知結果により人が居ないことを検出した場合）に節電モードに入る構成とされている。待機状態は、この例では、画像形成動作待機状態とされている。ここで、画像形成動作待機状態とは、すぐに画像形成動作を行うことができる状態、具体的には、画像形成装置本体１１０における定着部に定着温度が画像形成動作時の規定温度（例えば１７０℃）となる規定電力が供給されて定着温度が規定温度（例えば１７０℃）に維持され、かつ、制御部１８０が起動している状態をいう。また、節電モードは、この例では、画像形成装置本体１１０における定着部に定着温度が画像形成動作時の規定温度（例えば１７０℃）よりも低い予め定めた所定の節電温度（例えば１５０℃）となる節電電力が供給され、かつ、制御部１８０が起動している状態とされている。従って、この例では、高消費電力状態は待機状態を意味し、低消費電力状態は節電モードの状態を意味する。つまり、画像形成装置１００は、電力の供給を受けて動作する通常の動作モード（高消費電力状態）と、電力の供給が節電された節電モード（低消費電力状態）と、を有している。なお、規定温度及び節電温度は、１７０℃及び１５０℃に限定されるわけではなく、あくまでも一例である。節電温度が規定温度よりも低い温度に設定されていればよい。
【００４３】
また、制御部１８０は、節電モードにおいて、人感センサー１５０の検知結果により人が居ることを検出した場合に節電モードの低消費電力状態から高消費電力状態に復帰させる構成とされている。
【００４４】
具体的には、画像形成装置１００は、図３に示すように、メイン電源１９１と、サブ電源１９２（省エネルギー用電源）とを備えている。なお、この構成は具体的な実現方法の一例である。
【００４５】
メイン電源１９１は、細線で示す制御系ラインが制御部１８０（この例ではメイン制御部１８１）に電気的に接続され、かつ、太線で示す電力系ラインが画像形成装置本体１１０及び原稿読取装置１２０に電気的に接続されている。
【００４６】
制御部１８０（この例ではメイン制御部１８１）は、画像形成装置１００を画像形成動作待機状態にするときには、画像形成装置１００を画像形成動作待機状態にすることを示す指示信号又は画像形成装置１００を節電モードにすることを示す指示信号をメイン電源１９１に送信するようになっている。
【００４７】
制御部１８０（この例ではメイン制御部１８１）は、ＣＰＵ（Ｃｅｎｔｒａｌ  Ｐｒｏｃｅｓｓｉｎｇ  Ｕｎｉｔ）等のマイクロコンピュータからなる処理部１８１ａと、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）やデータ書き換え可能な不揮発性メモリ等の記憶装置を含む記憶部１８１ｂとを含んでいる。
【００４８】
制御部１８０（この例ではメイン制御部１８１）は、処理部１８１ａが記憶部１８１ｂのＲＯＭに予め格納された制御プログラムを記憶部１８１ｂのＲＡＭ上にロードして実行することにより、各種構成要素の作動制御を行うようになっている。記憶部１８１ｂのＲＡＭは、それぞれ、処理部１８１ａに対して作業用のワークエリア及び画像データを格納する画像メモリとしての領域を提供する。
【００４９】
サブ電源１９２は、太線で示す電力系ラインが制御部１８０（この例ではメイン制御部１８１及びサブ制御部１８２）、人感センサー１５０、操作部１１５に電気的に接続されており、制御部１８０（この例ではメイン制御部１８１及びサブ制御部１８２）、人感センサー１５０及び操作部１１５に常時電力を供給するようになっている。
【００５０】
人感センサー１５０は、細線で示す制御系ラインが制御部１８０（この例ではメイン制御部１８１）の入力系に電気的に接続されており、人が居ることを示す信号又は居ないことを示す信号を制御部１８０に送信するようになっている。これにより、人感センサー１５０は、人が居るのか或いは居ないのかを制御部１８０に認識させることができる。
【００５１】
操作部１１５は、細線で示す制御系ラインが制御部１８０（この例ではメイン制御部１８１）に電気的に接続されており、操作情報を制御部１８０に送信したり、制御部１８０から送られてきた表示情報を表示したりするようになっている。また、操作部１１５は、警報ブザー１１５ａを備えており、制御部１８０から送られてきた指示信号により警報ブザー１１５ａにより警報音を発するようになっている。
【００５２】
また、制御部１８０（この例ではメイン制御部１８１）は、使用者が操作部１１５により画像形成装置１００の操作を入力している途中において、画像形成装置１００から離れた際に入力中の操作内容を無効にして表示装置１６４における表示を初期表示であるポータル画面に戻す、いわゆるオートクリアの実行についても制御している。このようにオートクリア機能を有することにより、画像形成装置１００によれば、例えば、使用者が一連の操作の途中で操作を中断して放置したとしても、所定時間後に操作内容が無効となり、次の使用者はすぐに画像形成装置１００を使用することができることとなる。
【００５３】
制御部１８０は、複数の段階を有する一連の操作における途中段階において、人感センサー１５０から人が居ないことを示す信号を受信した場合には、所定時間が経過した後に、操作部１１５に途中段階まで入力された操作について無効とするように指示を送る。また、表示装置１６４にポータル画面を表示するように指示を送る。ここで、一連の操作とは、例えば、コピー処理、ファクス処理及びプリント処理等についての操作であり、複数段階の操作により完了する処理である。なお、これらの一連の操作における複数段階毎に対応する設定が規定されている。また、この設定は、表示装置１６４における表示画面に対応して規定されている。
【００５４】
また、この設定に対応して、オートクリアを行うまでの所定時間が予め決められており、そのデータ（図４参照）は記憶部１８１ｂのＲＯＭに予め格納されている。
【００５５】
図４は、本発明の実施の形態に係る画像形成装置１００のオートクリアまでの時間についてのテーブルＴ１を示す図である。
【００５６】
図４に示すように、テーブルＴ１において、表示装置１６４におけるポータル画面、第１設定、第２設定、第３設定、ＪＯＢ完了（一連の操作が完了）に対して、オートクリアまでの時間（オートクリア時間）が、０秒、１０秒、２０秒、３０秒、０秒と規定されている。なお、第４設定以降については記載を省略している。ここで、第１設定、第２設定及び第３設定は、一連の操作の各段階を示しており、段階が進んでいくことによりオートクリア時間が増加していく。
【００５７】
制御部１８０は、使用者により現在入力されている操作における設定についての信号を操作部１１５より受信し、記憶部１８１ｂに格納されたテーブルＴ１を参照して、オートクリアまでの時間を決定する。
【００５８】
また、画像形成装置１００は、図３に示すように、画像形成後に使用者が取り去るべき取り去り物品２４０（この例では記録シートＰ、原稿Ｇ及び記憶媒体Ｍのうち少なくとも１つ）を検知する物品検知部２００を備え、物品検知部２００の検知結果により取り去り物品２４０が画像形成後に残っていることを検出した場合には、人感センサー１５０の検知結果を無効にする構成とされている。
【００５９】
詳しくは、サブ電源１９２は、太線で示す電力系ラインが物品検知部２００（２１０〜２３０）に電気的に接続されており、物品検知部２００（２１０〜２３０）に常時電力を供給するようになっている。
【００６０】
物品検知部２００は、記録シートＰの画像形成後の有無を検知する第１検知部２１０（図１等参照）と、原稿Ｇの画像形成後の有無を検知する第２検知部２２０（図１等参照）と、画像形成装置本体１１０（具体的には操作部１１５に設けられた接続コネクタ１１０ａ（図１等参照））に対して着脱可能とされた記憶媒体Ｍの画像形成後の有無を検知する第３検知部２３０（図１等参照）とのうち少なくとも１つ（この例では第１検知部２１０、第２検知部２２０及び第３検知部２３０）を備えている。
【００６１】
第１検知部２１０としては、記録シートＰの有無によりオンオフするアクチュエータ型スイッチや反射型フォトセンサを例示でき、第２検知部２２０としては、原稿Ｇの有無によりオンオフするアクチュエータ型スイッチや反射型フォトセンサを例示できる。また、記憶媒体Ｍとしては、代表的には、ＵＳＢ（登録商標）（Ｕｎｉｖｅｒｓａｌ  Ｓｅｒｉａｌ  Ｂｕｓ）メモリやＳＤ（Ｓｅｃｕｒｅ  Ｄｉｇｉｔａｌ）メモリカードを例示でき、第３検知部２３０としては、記憶媒体Ｍの有無により接続状態又は非接続状態となる信号を送出するインターフェース（例えばＵＳＢ（登録商標）メモリインターフェースやＳＤメモリカードインタフェース）を例示できる。
【００６２】
第１検知部２１０は、細線で示す制御系ラインが制御部１８０（この例ではメイン制御部１８１）の入力系に電気的に接続されており、画像形成後の記録シートＰがシート排出部１１４におけるシート排出トレイ１１４ａに残されていることを示す信号又は残されていないことを示す信号を制御部１８０に送信するようになっている。これにより、第１検知部２１０は、シート排出トレイ１１４ａに記録シートＰが残っているか否かを制御部１８０に認識させることができる。
【００６３】
また、第２検知部２２０は、細線で示す制御系ラインが制御部１８０（この例ではメイン制御部１８１）の入力系に電気的に接続されており、画像形成後の原稿Ｇが原稿載置台１２１及び原稿自動送り装置１２３における原稿排出トレイ１２３ａに残されていることを示す信号又は残されていないことを示す信号を制御部１８０に送信するようになっている。これにより、第２検知部２２０は、原稿載置台１２１又は原稿排出トレイ１２３ａに原稿Ｇが残っているか否かを制御部１８０に認識させることができる。
【００６４】
また、第３検知部２３０は、細線で示す制御系ラインが制御部１８０（この例ではメイン制御部１８１）の入力系に電気的に接続されており、画像形成後の記憶媒体Ｍが画像形成装置本体１１０の操作部１１５における接続コネクタ１１０ａに残されていることを示す信号又は残されていないことを示す信号を制御部１８０に送信するようになっている。これにより、第３検知部２３０は、接続コネクタ１１０ａに記憶媒体Ｍが残っているか否かを制御部１８０に認識させることができる。
【００６５】
次に、画像形成装置１００における制御部１８０によるオートクリアに関する制御動作について説明する。
【００６６】
図５は、本発明の実施の形態に係る画像形成装置における制御部によるオートクリアに関する動作の一例を示すフローチャートである。
【００６７】
図５に示すフローチャートでは、先ず、制御部１８０は、表示装置１６４にポータル画面が表示されている状態で、使用者がサービスボタンを押下したことを認識すると（ステップＳ１）、人感センサー１５０の検知結果により人が居ることを検出したか否かを判断する（ステップＳ２）。制御部１８０は、人感センサー１５０の検知結果により人が居ることを検出した場合には（ステップＳ２：Ｙｅｓ）、使用者による一連の操作が完了したことを認識すると（ステップＳ３）、人感センサー１５０の検知結果により人が居ることを検出したか否かを判断する（ステップＳ４）。制御部１８０は、人感センサー１５０の検知結果により人が居ることを検出した場合には（ステップＳ４：Ｙｅｓ）、一連の操作に対応するＪＯＢを実行する（ステップＳ５）。
【００６８】
ステップＳ２において制御部１８０が、人感センサー１５０の検知結果により人が居ないことを検出した場合（ステップＳ２：Ｎｏ）、及び、ステップＳ４において制御部１８０が、人感センサー１５０の検知結果により人が居ないことを検出した場合（ステップＳ４：Ｎｏ）には、制御部１８０は現状の操作における設定を確認する（ステップＳ６）。
【００６９】
制御部１８０は、テーブルＴ１を参照し、確認した現状の設定に基づいてオートクリア時間を決定し（ステップＳ７）、オートクリア時間のカウントを開始する（ステップＳ８）。制御部１８０は、オートクリア時間のカウントを開始した後、人感センサー１５０の検知結果により人が居ることを検出したか否かを判断し（ステップＳ９）、制御部１８０は、人感センサー１５０の検知結果により人が居ることを検出した場合には（ステップＳ９：Ｙｅｓ）、オートクリア時間のカウントを停止してオートクリア時間をリセットして（ステップＳ１０）、ステップＳ３に進む。
【００７０】
制御部１８０は、人感センサー１５０の検知結果により人が居ないことを検出した場合は（ステップＳ９：Ｎｏ）、オートクリア時間が経過したか否かを判断し（ステップＳ１１）、オートクリア時間が経過している場合は（ステップＳ１１：Ｙｅｓ）、表示装置１６４にポータル画面を表示させて（ステップＳ１２）、ステップＳ１に進む。つまり、一連の操作を無効としてオートクリアを実行する。
【００７１】
オートクリア時間が経過していない場合は（ステップＳ１１：Ｎｏ）、ステップＳ９に進む。
【００７２】
（第１実施形態）
第１実施形態では、使用者がコピー処理をＪＯＢとして選択した場合について説明する。
【００７３】
図６は、本発明の実施の形態に係る画像形成装置１００における表示装置１６４のポータル画面Ｇ０を示す図である。
【００７４】
図６に示すように、画像形成装置１００において使用可能状態であれば、表示装置１６４にポータル画面Ｇ０が表示されている。ポータル画面Ｇ０には、「コピー」、「ファクス」及び「プリントサービス」等の表示がなされており、これらのうちの何れかのＪＯＢを選択できるようになっている。
【００７５】
使用者が表示装置１６４により「コピー」を選択することにより、コピー処理を行うことの信号が制御部１８０に送信される。具体的には、表示装置１６４における「コピー」との表示箇所を使用者が触れることにより、使用者が触れた箇所に関する信号が制御部１８０に送信され、その信号から制御部１８０はコピー処理を行うことを認識する。
【００７６】
使用者がコピー処理を選択したことにより、表示装置１６４の表示は、コピー処理を行うための画面に移行する。
【００７７】
図７は、第１実施形態に係る画像形成装置における表示装置の各設定における表示画面を示す図である。具体的には、コピー処理を行うための画面を示している。
【００７８】
使用者が表示装置１６４により「コピー」を選択すると、表示装置１６４は、ポータル画面Ｇ０から、図７（ａ）に示す画面Ｇ１ａに表示を変更する。
【００７９】
画面Ｇ１ａは、コピーの種類を選択する画面である。ここで、表示装置１６４において画面Ｇ１ａが表示されている状態が、一連の操作のうち第１設定に対応する。したがって、画面Ｇ１ａが表示されている際に使用者が画像形成装置１００から離れた場合は、制御部１８０が人感センサー１５０の検知結果により人が居ないことを検出してから１０秒後に（図４参照）、表示装置１６４の表示がポータル画面Ｇ０に変更され、オートクリアが実行される。なお、ポータル画面Ｇ０に変更されるのは、１０秒間継続して人が居ないことが検出された場合であり、１０秒以内に使用者が戻ってきて、制御部１８０が人感センサー１５０の検知結果により人が居ることを検出した場合は画面Ｇ１ａが表示されたままであり、オートクリアは実行されない。
【００８０】
画面Ｇ１ａにおいて、使用者がコピーの種類を選択した場合は、表示装置１６４は、画面Ｇ１ａから、図７（ｂ）に示す画面Ｇ１ｂに表示を変更する。
【００８１】
画面Ｇ１ｂは、用紙を選択する画面である。ここで、表示装置１６４において画面Ｇ１ｂが表示されている状態が、一連の操作のうち第２設定に対応する。したがって、画面Ｇ１ｂが表示されている際に使用者が画像形成装置１００から離れた場合は、制御部１８０が人感センサー１５０の検知結果により人が居ないことを検出してから２０秒後に（図４参照）、表示装置１６４の表示がポータル画面Ｇ０に変更され、オートクリアが実行される。
【００８２】
画面Ｇ１ｂにおいて、使用者が用紙を選択した場合は、表示装置１６４は、画面Ｇ１ｂから、図７（ｃ）に示す画面Ｇ１ｃに表示を変更する。
【００８３】
画面Ｇ１ｃは、コピー部数等を選択してコピーの開始を指示する画面である。ここで、表示装置１６４において画面Ｇ１ｃが表示されている状態が、一連の操作のうち第３設定に対応する。したがって、画面Ｇ１ｃが表示されている際に使用者が画像形成装置１００から離れた場合は、制御部１８０が人感センサー１５０の検知結果により人が居ないことを検出してから３０秒後に（図４参照）、表示装置１６４の表示がポータル画面Ｇ０に変更され、オートクリアが実行される。
【００８４】
画面Ｇ１ｃにおいて、使用者がコピー部数を選択してコピーの開始を指示した場合は、表示装置１６４は、画面Ｇ１ｃから、図７（ｄ）に示す画面Ｇ１ｄに表示を変更する。
【００８５】
画面Ｇ１ｄは、コピーのプレビュー表示を行うか否かを選択する画面である。ここで、表示装置１６４において画面Ｇ１ｄが表示されている状態が、一連の操作のうち第４設定に対応する。したがって、画面Ｇ１ｄが表示されている際に使用者が画像形成装置１００から離れた場合は、図７（ａ）〜図７（ｃ）を用いて上述したのと同様に、オートクリア時間が決定され、決定されたオートクリア時間継続して使用者が戻らなければ、表示装置１６４の表示がポータル画面Ｇ０に変更され、オートクリアが実行される。
【００８６】
画面Ｇ１ｄにおいて、使用者がプレビュー表示を行わないことを選択した場合は、コピー処理が実行され、表示装置１６４は、画面Ｇ１ｄから、図７（ｅ）に示す画面Ｇ１ｅに表示を変更する。
【００８７】
画面Ｇ１ｅは、続けてコピーを行うか否かを選択する画面である。ここで、表示装置１６４において画面Ｇ１ｅが表示されている状態が、一連の操作のうち第５設定に対応する。したがって、画面Ｇ１ｅが表示されている際に使用者が画像形成装置１００から離れた場合は、図７（ａ）〜図７（ｃ）を用いて上述したのと同様に、オートクリア時間が決定され、決定されたオートクリア時間継続して使用者が戻らなければ、表示装置１６４の表示がポータル画面Ｇ０に変更され、オートクリアが実行される。
【００８８】
画面Ｇ１ｅにおいて、使用者が続けてコピーを行わずコピーの終了を選択した場合は、コピー処理についてのＪＯＢは完了し、表示装置１６４は、画面Ｇ１ｅから、図７（ｄ）に示す画面Ｇ１ｆに表示を変更する。
【００８９】
画面Ｇ１ｆは、終了画面である。なお、画面Ｇ１ｆが表示されている際に使用者が画像形成装置１００から離れた場合は、すぐに表示装置１６４の表示がポータル画面Ｇ０に変更される（図４参照）。
【００９０】
なお、テーブルＴ１において、ポータル画面Ｇ０におけるオートクリア時間が０秒となっているが、表示装置１６４がポータル画面Ｇ０を表示している際に使用者が画像形成装置１００から離れた場合は、すぐに表示装置１６４の表示を消灯することとしてもよい。これにより、節電効果を有する。
【００９１】
（第２実施形態）
第２実施形態において、第１実施形態と同じ点については説明を省略し、異なる点を中心に説明する。
【００９２】
第２実施形態では、使用者がファクス処理をＪＯＢとして選択した場合について説明する。使用者は表示装置１６４にポータル画面Ｇ０が表示されている際に（図６参照）、表示装置１６４に触れることにより「ファクス」を選択する。
【００９３】
使用者がファクス処理を選択したことにより、表示装置１６４の表示は、ファクス処理を行うための画面に移行する。
【００９４】
図８は、第２実施形態に係る画像形成装置における表示装置の各設定における表示画面を示す図である。具体的には、ファクス処理を行うための画面を示している。
【００９５】
使用者が表示装置１６４により「ファクス」を選択すると、表示装置１６４は、ポータル画面Ｇ０から、図８（ａ）に示す画面Ｇ２ａに表示を変更する。
【００９６】
画面Ｇ２ａは、ファクスを送信するか受信するかを選択する画面である。ここで、表示装置１６４において画面Ｇ２ａが表示されている状態が、一連の操作のうち第１設定に対応する。したがって、画面Ｇ２ａが表示されている際に使用者が画像形成装置１００から離れた場合は、制御部１８０が人感センサー１５０の検知結果により人が居ないことを検出してから１０秒後に（図４参照）、表示装置１６４の表示がポータル画面Ｇ０に変更され、オートクリアが実行される。なお、ポータル画面Ｇ０に変更されるのは、１０秒間継続して人が居ないことが検出された場合であり、１０秒以内に使用者が戻ってきて、制御部１８０が人感センサー１５０の検知結果により人が居ることを検出した場合は画面Ｇ１ａが表示されたままであり、オートクリアは実行されない。
【００９７】
画面Ｇ２ａにおいて、使用者がファクスを送信することを選択した場合は、表示装置１６４は、画面Ｇ２ａから、図８（ｂ）に示す画面Ｇ２ｂに表示を変更する。
【００９８】
画面Ｇ２ｂは、送付先が国内か海外かを選択する画面である。ここで、表示装置１６４において画面Ｇ２ｂが表示されている状態が、一連の操作のうち第２設定に対応する。したがって、画面Ｇ２ｂが表示されている際に使用者が画像形成装置１００から離れた場合は、制御部１８０が人感センサー１５０の検知結果により人が居ないことを検出してから２０秒後に（図４参照）、表示装置１６４の表示がポータル画面Ｇ０に変更され、オートクリアが実行される。
【００９９】
画面Ｇ２ｂにおいて、使用者が国内及び海外の何れに送付するかを選択した場合は、表示装置１６４は、画面Ｇ２ｂから、図８（ｃ）に示す画面Ｇ２ｃに表示を変更する。
【０１００】
画面Ｇ２ｃは、ファクス番号を入力する画面である。ここで、表示装置１６４において画面Ｇ２ｃが表示されている状態が、一連の操作のうち第３設定に対応する。したがって、画面Ｇ２ｃが表示されている際に使用者が画像形成装置１００から離れた場合は、制御部１８０が人感センサー１５０の検知結果により人が居ないことを検出してから３０秒後に（図４参照）、表示装置１６４の表示がポータル画面Ｇ０に変更され、オートクリアが実行される。
【０１０１】
画面Ｇ２ｃにおいて、使用者がファクス番号を入力した場合は、表示装置１６４は、画面Ｇ２ｃから、図８（ｄ）に示す画面Ｇ２ｄに表示を変更する。
【０１０２】
画面Ｇ２ｄは、送信結果を印刷するか否かを選択する画面である。ここで、表示装置１６４において画面Ｇ２ｄが表示されている状態が、一連の操作のうち第５設定に対応する。したがって、画面Ｇ２ｄが表示されている際に使用者が画像形成装置１００から離れた場合は、図８（ａ）〜図８（ｃ）を用いて上述したのと同様に、オートクリア時間が決定され、決定されたオートクリア時間継続して使用者が戻らなければ、表示装置１６４の表示がポータル画面Ｇ０に変更され、オートクリアが実行される。
【０１０３】
画面Ｇ２ｄにおいて、使用者が送信結果を印刷するか否かを選択した場合は、表示装置１６４は、画面Ｇ２ｄから、図８（ｅ）に示す画面Ｇ２ｅに表示を変更する。
【０１０４】
画面Ｇ２ｅは、原稿読取装置１２０に原稿をセットすることを促す画面である。ここで、表示装置１６４において画面Ｇ２ｅが表示されている状態が、一連の操作のうち第５設定に対応する。したがって、画面Ｇ２ｅが表示されている際に使用者が画像形成装置１００から離れた場合は、図８（ａ）〜図８（ｃ）を用いて上述したのと同様に、オートクリア時間が決定され、決定されたオートクリア時間継続して使用者が戻らなければ、表示装置１６４の表示がポータル画面Ｇ０に変更され、オートクリアが実行される。
【０１０５】
画面Ｇ２ｅにおいて、使用者が原稿をセットした場合は、表示装置１６４は、画面Ｇ２ｅから、図８（ｆ）に示す画面Ｇ２ｆに表示を変更する。
【０１０６】
画面Ｇ２ｆは、ファクスの送信開始を指示する画面である。ここで、表示装置１６４において画面Ｇ２ｆが表示されている状態が、一連の操作のうち第６設定に対応する。したがって、画面Ｇ２ｆが表示されている際に使用者が画像形成装置１００から離れた場合は、図８（ａ）〜図８（ｃ）を用いて上述したのと同様に、オートクリア時間が決定され、決定されたオートクリア時間継続して使用者が戻らなければ、表示装置１６４の表示がポータル画面Ｇ０に変更され、オートクリアが実行される。
【０１０７】
画面Ｇ２ｆにおいて、使用者がファクスの送信開始を指示した場合は、表示装置１６４は、画面Ｇ２ｆから、図８（ｇ）に示す画面Ｇ２ｇに表示を変更する。
【０１０８】
画面Ｇ２ｇは、続けてファクスを行うか否かを選択する画面である。ここで、表示装置１６４において画面Ｇ２ｇが表示されている状態が、一連の操作のうち第７設定に対応する。したがって、画面Ｇ２ｇが表示されている際に使用者が画像形成装置１００から離れた場合は、図８（ａ）〜図８（ｃ）を用いて上述したのと同様に、オートクリア時間が決定され、決定されたオートクリア時間継続して使用者が戻らなければ、表示装置１６４の表示がポータル画面Ｇ０に変更され、オートクリアが実行される。
【０１０９】
画面Ｇ２ｇにおいて、使用者が続けてファクスを行わずファクスの終了を選択した場合は、ファクス処理についてのＪＯＢは完了し、表示装置１６４は、画面Ｇ２ｇから、図８（ｈ）に示す画面Ｇ２ｈに表示を変更する。画面Ｇ２ｈは、終了画面である。
【０１１０】
（第３実施形態）
第３実施形態において、第１実施形態及び第２実施形態と同じ点については説明を省略し、異なる点を中心に説明する。
【０１１１】
第３実施形態では、使用者がプリント処理をＪＯＢとして選択した場合について説明する。使用者は表示装置１６４にポータル画面Ｇ０が表示されている際に（図６参照）、表示装置１６４に触れることにより「プリントサービス」を選択する。
【０１１２】
使用者がプリント処理を選択したことにより、表示装置１６４の表示は、プリント処理を行うための画面に移行する。
【０１１３】
図９は、第３実施形態に係る画像形成装置における表示装置の各設定における表示画面を示す図である。具体的には、プリント処理を行うための画面を示している。
【０１１４】
使用者が表示装置１６４により「プリントサービス」を選択すると、表示装置１６４は、ポータル画面Ｇ０から、図９（ａ）に示す画面Ｇ３ａに表示を変更する。
【０１１５】
画面Ｇ３ａは、プリントを行うために使用者固有の番号を入力する画面である。ここで、表示装置１６４において画面Ｇ３ａが表示されている状態が、一連の操作のうち第１設定に対応する。したがって、画面Ｇ３ａが表示されている際に使用者が画像形成装置１００から離れた場合は、制御部１８０が人感センサー１５０の検知結果により人が居ないことを検出してから１０秒後に（図４参照）、表示装置１６４の表示がポータル画面Ｇ０に変更され、オートクリアが実行される。なお、ポータル画面Ｇ０に変更されるのは、１０秒間継続して人が居ないことが検出された場合であり、１０秒以内に使用者が戻ってきて、制御部１８０が人感センサー１５０の検知結果により人が居ることを検出した場合は画面Ｇ１ａが表示されたままであり、オートクリアは実行されない。
【０１１６】
画面Ｇ３ａにおいて、使用者が使用者固有の番号を入力した場合は、表示装置１６４は、画面Ｇ３ａから、図９（ｂ）に示す画面Ｇ３ｂに表示を変更する。
【０１１７】
画面Ｇ３ｂは、プリントの種類が文書プリントか画像プリントかを選択する画面である。ここで、表示装置１６４において画面Ｇ３ｂが表示されている状態が、一連の操作のうち第２設定に対応する。したがって、画面Ｇ３ｂが表示されている際に使用者が画像形成装置１００から離れた場合は、制御部１８０が人感センサー１５０の検知結果により人が居ないことを検出してから２０秒後に（図４参照）、表示装置１６４の表示がポータル画面Ｇ０に変更され、オートクリアが実行される。
【０１１８】
画面Ｇ３ｂにおいて、文書プリントか画像プリントかを選択した場合は、表示装置１６４は、画面Ｇ３ｂから、図９（ｃ）に示す画面Ｇ３ｃに表示を変更する。
【０１１９】
画面Ｇ３ｃは、プリントするデータを選択する画面である。ここで、表示装置１６４において画面Ｇ３ｃが表示されている状態が、一連の操作のうち第３設定に対応する。したがって、画面Ｇ３ｃが表示されている際に使用者が画像形成装置１００から離れた場合は、制御部１８０が人感センサー１５０の検知結果により人が居ないことを検出してから３０秒後に（図４参照）、表示装置１６４の表示がポータル画面Ｇ０に変更され、オートクリアが実行される。
【０１２０】
画面Ｇ３ｃにおいて、使用者がプリントするデータを選択した場合は、表示装置１６４は、画面Ｇ３ｃから、図９（ｄ）に示す画面Ｇ３ｄに表示を変更する。
【０１２１】
画面Ｇ３ｄは、プリント部数等を選択してプリントの開始を指示する画面である。ここで、表示装置１６４において画面Ｇ３ｄが表示されている状態が、一連の操作のうち第４設定に対応する。したがって、画面Ｇ３ｄが表示されている際に使用者が画像形成装置１００から離れた場合は、図９（ａ）〜図９（ｃ）を用いて上述したのと同様に、オートクリア時間が決定され、決定されたオートクリア時間継続して使用者が戻らなければ、表示装置１６４の表示がポータル画面Ｇ０に変更され、オートクリアが実行される。
【０１２２】
画面Ｇ３ｄにおいて、使用者がプリント部数を選択してプリントの開始を指示した場合は、表示装置１６４は、画面Ｇ３ｄから、図９（ｅ）に示す画面Ｇ３ｅに表示を変更する。
【０１２３】
画面Ｇ３ｅは、プリントのプレビュー表示を行うか否かを選択する画面である。ここで、表示装置１６４において画面Ｇ３ｅが表示されている状態が、一連の操作のうち第５設定に対応する。したがって、画面Ｇ３ｅが表示されている際に使用者が画像形成装置１００から離れた場合は、図９（ａ）〜図９（ｃ）を用いて上述したのと同様に、オートクリア時間が決定され、決定されたオートクリア時間継続して使用者が戻らなければ、表示装置１６４の表示がポータル画面Ｇ０に変更され、オートクリアが実行される。
【０１２４】
画面Ｇ３ｅにおいて、使用者がプレビュー表示を行わないことを選択した場合は、プリント処理が実行され、表示装置１６４は、画面Ｇ３ｅから、図９（ｆ）に示す画面Ｇ３ｆに表示を変更する。
【０１２５】
画面Ｇ３ｆは、続けてプリントを行うか否かを選択する画面である。ここで、表示装置１６４において画面Ｇ３ｆが表示されている状態が、一連の操作のうち第６設定に対応する。したがって、画面Ｇ３ｆが表示されている際に使用者が画像形成装置１００から離れた場合は、図９（ａ）〜図９（ｃ）を用いて上述したのと同様に、オートクリア時間が決定され、決定されたオートクリア時間継続して使用者が戻らなければ、表示装置１６４の表示がポータル画面Ｇ０に変更され、オートクリアが実行される。
【０１２６】
画面Ｇ３ｆにおいて、使用者が続けてプリントを行わずプリントの終了を選択した場合は、プリント処理についてのＪＯＢは完了し、表示装置１６４は、画面Ｇ３ｆから、図９（ｇ）に示す画面Ｇ３ｇに表示を変更する。
【０１２７】
画面Ｇ３ｇは、終了画面である。なお、画面Ｇ３ｇが表示されている際に使用者が画像形成装置１００から離れた場合は、すぐに表示装置１６４の表示がポータル画面Ｇ０に変更される（図４参照）。
【０１２８】
以上、本発明の実施の形態に係る画像形成装置１００について説明したが、上述の構成以外であっても構わない。例えば、画像形成装置１００では、一連の操作の途中において制御部１８０が人感センサー１５０の検知結果により人が居ないことを検出した場合には、オートクリア時間が決定され、人が居ることを検出せずに所定時間経過した場合は、オートクリアが実行されることとしたが、条件によっては人が居ないことを検出した場合は所定時間を待たずにオートクリアを実行することとしてもよい。例えば、一連の操作のうち早い段階での設定については、人が居ないことを検出した場合はすぐに（オートクリア時間が０秒）オートクリアを実行することとしてもよい。
【０１２９】
また、画像形成装置１００では、オートクリア時間は、ポータル画面、第１設定、第２設定、第３設定、ＪＯＢ完了に対して、０秒、１０秒、２０秒、３０秒、０秒としたが、この値に限定されるわけではなく、適宜変更可能である。また、各設定において一連の操作段階が進んでいくことによりオートクリア時間が増加していくこととしているが、オートクリア時間は一定であっても構わないし、減少する場合があってもよい。
【０１３０】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１３１】
１００    画像形成装置
１１０    画像形成装置本体
１１０ａ  接続コネクタ
１１１    シート収容部
１１２    シート搬送部
１１３    画像形成部
１１４    シート排出部
１１４ａ  シート排出トレイ
１１５    操作部
１１５ａ  警報ブザー
１２０    原稿読取装置
１２１    原稿載置台
１２２    原稿読取部
１２３    原稿自動送り装置
１２３ａ  原稿排出トレイ
１５０    人感センサー
１５１    超音波送波部
１５２    超音波受波部
１６４    表示装置
１６５    操作部材
１８０    制御部
１８１    メイン制御部
１８１ａ  処理部
１８１ｂ  記憶部
１８２    サブ制御部
１９１    メイン電源（電源の一例）
１９２    サブ電源
２００    物品検知部
２１０    第１検知部
２２０    第２検知部
２３０    第３検知部
２４０    取り去り物品
Ｇ        原稿
Ｍ        記憶媒体
Ｐ        記録シート
Ｒ        検知範囲
Ｘ        左右方向
Ｙ        奥行き方向
Ｚ        上下方向
【図１】
2019220757.tif 000003
【図２】
2019220757.tif 000004
【図３】
2019220757.tif 000005
【図４】
2019220757.tif 000006
【図５】
2019220757.tif 000007
【図６】
2019220757.tif 000008
【図７】
2019220757.tif 000009
【図８】
2019220757.tif 000010
【図９】
2019220757.tif 000011